(57)【特許請求の範囲】
【請求項１】
前面が開口され内部に電子回路基板収納用の空間を有する本体ケースと、該本体ケースに対して開閉自在に枢支されて、前記本体ケースの前記開口を塞ぐことができるケースカバーとからなる機器ケースであって、
本体背板と、該本体背板の上部と両側部及び下部からそれぞれ前方に延伸するように設けられている本体上板と、本体左側板および本体右側板と、底板とを備え、前記本体上板は前記開口に向かって拡がるように傾斜されて形成され、前記本体左側板および前記本体右側板の外面に長手方向に本体側板リブ部がそれぞれ形成され、前記底板は前方へ突出された底板防雨壁を有し、該底板防雨壁のほぼ中央であって長手方向に本体溝部が形成されている前記本体ケースと、
前記本体ケースの前記開口を閉塞するカバー前板と、該カバー前板の上部と両側部からそれぞれ前記本体ケースの前記開口側へ延伸するよう設けられているカバー上板と、カバー左側板およびカバー右側板とを備え、前記カバー前板の下部が外側に突出するよう内面に段部が形成され、前記カバー上板の内面に複数本の仕切りリブと上段段部とが長手方向に形成され、前記カバー左側板および前記カバー右側板の内面に長手方向にカバー側板リブ部と側段部とがそれぞれ形成されている前記ケースカバーとを備え、
前記ケースカバーの前記カバー左側板および前記カバー右側板の上部が、前記本体ケースの前記本体左側板および前記本体右側板の上部に枢支されることにより、前記ケースカバーは前記本体ケースに対して開閉自在とされて、前記ケースカバーを前記本体ケースに対して閉じた際に、前記開口が前記カバー前板により閉塞され、前記カバー上板の内面に形成されている複数本の前記仕切りリブが前記本体上板の上面に当接すると共に、前記上段段部に前記カバー上板の先端外側が当接し、前記カバー左側板および前記カバー右側板の内面に形成されている前記カバー側板リブ部の後面が、前記本体左側板および前記本体右側板の外面に形成されている前記本体側板リブ部の前面に当接すると共に、前記側段部に前記本体左側板および前記本体右側板の先端外側がそれぞれ当接し、前記カバー前板の下部の内側に形成されている前記段部に前記底板防雨壁の先端上側が当接すると共に前記本体溝部が前記カバー前板の下部により閉塞されることを特徴とする機器ケース。
【請求項２】
前記本体底板の前面に大径部が形成されていると共に大径部の奥にネジ孔部が形成されており、前記カバー前板の下部に形成されている挿通孔に挿通されたネジが前記ネジ孔部に螺着されることにより、前記ケースカバーを前記本体ケースの前記開口を閉塞するよう取り付けられることを特徴とする請求項１記載の機器ケース。
【請求項３】
前記本体背板の外面に支持ポールを挟持可能なＶ字溝を有する一対の板状のポール当接部が一体に形成されていることを特徴とする請求項１または２記載の機器ケース。
【請求項４】
前記一対のポール当接部の間に、一対のネジ部が横方向に並べて形成されていると共に該一対のネジ部にほぼ平行に支持壁が形成されており、前記一対のネジ部に固定ネジを螺着した際に、前記一対のネジ部と前記支持壁との間に配置されたＵボルトが前記固定ネジの頭部により固定されることを特徴とする請求項３記載の機器ケース。
【請求項５】
前記本体背板の下部の両側に、後側へ前記一対のポール当接部とほぼ同じ高さで突出すると共に取付ネジを挿通可能な挿通孔が形成されていることを特徴とする請求項３記載の機器ケース。
【請求項６】
前記上段段部と前記側段部とが傾斜されて形成されていることを特徴とする請求項１ないし４のいずれかに記載の機器ケース。
【発明の詳細な説明】
【技術分野】
【０００１】
本発明は、混合器、分配器や増幅器等が収納される防雨構造の機器ケースに関するものである。
【背景技術】
【０００２】
アンテナで受信した信号を混合する混合器、分配する分配器や増幅する増幅器等は機器ケースに収納されて、アンテナが取り付けられているポールなどに取り付けられる。このような機器ケースは屋外に設置されることから防水構造とされている。従来の防水構造の機器ケース（特許文献１参照）は、内部に電子回路体収納用の空間を形成されている本体と、本体の上部に枢着されており本体前面の開口部を閉ざすことができる蓋とから構成されている。そして、本体は背板と、背板の上部、両側部及び下部からそれぞれ前方に張り出すように設けられている上板と、左右の側板及び下板とを備え、前面が開放されている。また、蓋は本体前面の開口部を閉ざす前板と、前板の上部及び両側部からそれぞれ本体方向に張り出すように設けられた上板及び左右の側板とを備え、上部が本体の上部に枢着されている。この機器ケースにおいては、本体に蓋を被せ付けた閉鎖状態において本体内の空間に雨水の侵入が防止されるようになる。
【０００３】
上記した従来の機器ケースにおける雨水の侵入を防止する構成として、本体の下部には当部を受止める為の受座が備えられている一方、蓋の下部において受座と対応する位置に、蓋を閉鎖した状態において、本体に対する蓋の近接距離を定め得るように受座に当接する当部が備わっている。さらに、蓋には、当部を受座に締め付ける為の締付ねじが備えられており、本体側の上板及び左右の両側板と、蓋側の上板及び左右の両側板との張出寸法及び相互の位置関係は、締付ねじを用いて受座に当部を締め付けた状態において、本体側の上板及び左右の両側板のそれぞれ外側を、蓋側の上板及び左右の両側板が重合状に囲えるように張り出し寸法及び位置関係が定められている。さらにまた、蓋側上板の先部は、本体の裏側に廻り込ませて、本体側上板の上面に対する雨水の浸入を防止できるように延設すると共に本体側上板上面と、蓋側上板の下面との間には浸入した僅かな雨水を両側に流下させるための水路用空間が形成され、本体側両側板のそれぞれの外側面と、蓋側両側板のそれぞれの内側面との間にも、本体側上板上面から流下させる雨水を下方に導く為の排水路が形成されている。さらにまた、本体側下板の先部と蓋側前板の内側面に形成される突部とは、両者間に僅かな貯水用の細隙が形成できるように入れ違い状に配置されている。
【先行技術文献】
【特許文献】
【０００４】
【特許文献１】特許第２９７９２７９号公報
【発明の概要】
【発明が解決しようとする課題】
【０００５】
従来の機器ケースにおいては、雨水の侵入を防止することができるが、暴風雨等の風雨が強い場合は本体と蓋との間隙から雨水が内部に侵入するおそれがあった。
そこで、本発明は、暴風雨等の風雨が強い場合あっても、内部に雨水が浸入することを防止することができる機器ケースを提供することを目的としている。
【課題を解決するための手段】
【０００６】
本発明は、前面が開口され内部に電子回路基板収納用の空間を有する本体ケースと、該本体ケースに対して開閉自在に枢支されて、前記本体ケースの前記開口を塞ぐことができるケースカバーとからなる機器ケースであって、本体背板と、該本体背板の上部と両側部及び下部からそれぞれ前方に延伸するように設けられている本体上板と、本体左側板および本体右側板と、底板とを備え、前記本体上板は前記開口に向かって拡がるように傾斜されて形成され、前記本体左側板および前記本体右側板の外面に長手方向に本体側板リブ部がそれぞれ形成され、前記底板は前方へ突出された底板防雨壁を有し、該底板防雨壁のほぼ中央であって長手方向に本体溝部が形成されている前記本体ケースと、前記本体ケースの前記開口を閉塞するカバー前板と、該カバー前板の上部と両側部からそれぞれ前記本体ケースの前記開口側へ延伸するよう設けられているカバー上板と、カバー左側板およびカバー右側板とを備え、前記カバー前板の下部が外側に突出するよう内面に段部が形成され、前記カバー上板の内面に複数本の仕切りリブと上段段部とが長手方向に形成され、前記カバー左側板および前記カバー右側板の内面に長手方向にカバー側板リブ部と側段部とがそれぞれ形成されている前記ケースカバーとを備え、前記ケースカバーの前記カバー左側板および前記カバー右側板の上部が、前記本体ケースの前記本体左側板および前記本体右側板の上部に枢支されることにより、前記ケースカバーは前記本体ケースに対して開閉自在とされて、前記ケースカバーを前記本体ケースに対して閉じた際に、前記開口が前記カバー前板により閉塞され、前記カバー上板の内面に形成されている複数本の前記仕切りリブが前記本体上板の上面に当接すると共に、前記上段段部に前記カバー上板の先端外側が当接し、前記カバー左側板および前記カバー右側板の内面に形成されている前記カバー側板リブ部の後面が、前記本体左側板および前記本体右側板の外面に形成されている前記本体側板リブ部の前面に当接すると共に、前記側段部に前記本体左側板および前記本体右側板の先端外側がそれぞれ当接し、前記カバー前板の下部の内側に形成されている前記段部に前記底板防雨壁の先端上側が当接すると共に前記本体溝部が前記カバー前板の下部により閉塞されることを最も主要な特徴としている。
【発明の効果】
【０００７】
本発明によれば、ケースカバーを本体ケースに対して閉じた際に、カバー上板の内面に形成されている複数本の仕切りリブが本体上板の上面に当接すると共に、上段段部にカバー上板の先端外側が当接することから、本体上板とカバー上板との間の空間が複数の部屋に分割されるため、暴風雨等の雨水が浸入しても複数に分割された部屋に貯留するようになって、複数の部屋を超えて内部に浸入することを防止することができる。
また、カバー左側板およびカバー右側板の内面に形成されているカバー側板リブ部の後面が、本体左側板および本体右側板の外面に形成されている本体側板リブ部の前面に当接すると共に、側段部に本体左側板および本体右側板の先端外側がそれぞれ当接することから、暴風雨等の雨水であってもカバー側板リブ部および本体側板リブ部を超えて内部に浸入しないようになり、例え浸入したとしても本体左側板および本体右側板とカバー左側板およびカバー右側板との間の空間が閉じるようになることから、内部まで浸入することを防止することができる。
さらに、カバー前板の下部の内側に形成されている段部に底板防雨壁の先端上側が当接すると共に本体溝部がカバー前板の下部により閉塞されることから、暴風雨等の雨水が浸入しても溝部に貯留し、溝部を超えて内部に浸入することを防止することができる。
【図面の簡単な説明】
【０００８】
【図１】本発明の実施例にかかる機器ケースの構成を示す正面図である。
【図２】本発明の実施例にかかる機器ケースの構成を示す側面図である。
【図３】本発明の実施例にかかる機器ケースの構成を示す下面図である。
【図４】本発明の実施例にかかる機器ケースの構成をＡ−Ａ断面図で示す側面図である。
【図５】本発明の実施例にかかる機器ケースの構成を示す背面図である。
【図６】本発明の実施例にかかる機器ケースの構成をＢ−Ｂ断面図で示す上面図である。
【図７】本発明の実施例の機器ケースにおける本体ケースの構成を示す正面図である。
【図８】本発明の実施例の機器ケースにおける本体ケースの構成を示す側面図である。
【図９】本発明の実施例の機器ケースにおける本体ケースの構成を示す下面図である。
【図１０】本発明の実施例の機器ケースにおける本体ケースの構成をＣ−Ｃ断面図で示す側面図である。
【図１１】本発明の実施例の機器ケースにおける本体ケースの構成を示す上面図である。
【図１２】本発明の実施例の機器ケースにおける本体ケースの構成を示す背面図である。
【図１３】本発明の実施例の機器ケースにおける本体ケースの構成をＤ−Ｄ断面図で示す側面図である。
【図１４】本発明の実施例の機器ケースにおける本体ケースの構成の一部をＦ−Ｆ断面図で示す上面図である。
【図１５】本発明の実施例の機器ケースにおける本体ケースの構成をＥ−Ｅ断面図で示す側面図である。
【図１６】本発明の実施例の機器ケースにおけるケースカバーの構成を示す正面図である。
【図１７】本発明の実施例の機器ケースにおけるケースカバーの構成を示す下面図である。
【図１８】本発明の実施例の機器ケースにおけるケースカバーの構成を示す側面図である。
【図１９】本発明の実施例の機器ケースにおけるケースカバーの構成をＧ−Ｇ断面図で示す側面図である。
【図２０】本発明の実施例の機器ケースにおけるケースカバーの構成を示す上面図である。
【図２１】本発明の実施例の機器ケースにおけるケースカバーの構成を示す背面図である。
【図２２】本発明の実施例の機器ケースにおけるケースカバーの構成の一部をＩ−Ｉ断面図で示す上面図である。
【図２３】本発明の実施例の機器ケースにおけるケースカバーの構成の一部をＪ−Ｊ断面図で示す側面図である。
【図２４】本発明の実施例にかかる機器ケースを支持ポールに取り付けた構成を示す平面図である。
【図２５】本発明の実施例にかかる機器ケースにおいて、Ｕボルトを固定する構成を示す背面図である。
【図２６】本発明の実施例にかかる機器ケースを取り付ける構成を示す正面図である。
【図２７】本発明の実施例にかかる機器ケースを組み立てた構成の一部をＫ−Ｋ断面図で示す側面図である。
【図２８】本発明の実施例にかかる機器ケースにおいて、本体ケースに対してケースカバーを開いた状態を示す側面図である。
【図２９】本発明の実施例にかかる機器ケースを壁部に取り付ける構成を示す側面図である。
【発明を実施するための形態】
【０００９】
本発明の実施例の機器ケースは、信号を混合する混合器、分配する分配器や増幅する増幅器等が収納される屋外に設置されるシールドケースとされている。この本発明の実施例の機器ケース１の構成を図１ないし図６に示す。本発明の実施例にかかる機器ケース１の構成を示す正面図を図１に、機器ケース１の側面図を図２に、機器ケース１の下面図を図３に、機器ケース１のＡ−Ａ断面図で示す側面図を図４に、機器ケース１のＢ−Ｂ断面図で示す上面図を図５に示す。
これらの図に示す本発明の実施例の機器ケース１は、前面が開口された内部に電子回路基板収納用の空間を有する金属製の本体ケース１０と、この本体ケース１０に対して開閉自在に枢支されて、本体ケース１０の開口を塞ぐことができる金属製のケースカバー２０とから構成されている。
【００１０】
本体ケース１０は、上板と底板と左側板および右側板と背板からなり、内部に回路基板が収納される空間が形成されており、前面は開口されている。本体ケース１０の底板には信号を入出力するための４つの同軸端子１７が下方へ突出するよう一体に形成されており、本体ケース１０の背板の外面には、機器ケース１を支持ポールに取り付けるためのＶ字溝が形成されている板状のポール当接部１５ｃが上下に一つずつ一体に形成されている。また、本体ケース１０の背板の下方へ突出するよう取付部１６が左右に１つずつ形成されている。取付部１６の突出高さは、ポール当接部１５ｃの突出高さとほぼ同じとされている。また、ケースカバー２０は、上板と前板と左側板および右側板から構成されている。本体ケース１０の左側板および右側板の上部に、金属製のケースカバー２０の左側板および右側板の上部が回動ネジ３２によりそれぞれ枢支されており、本体ケース１０に対してケースカバー２０は開閉自在とされている。本体ケース１０に対してケースカバー２０を閉じて、前板の下部に形成された一対の挿通孔にそれぞれネジ３１を挿通し、本体ケースの底板の前面に螺着することにより本体ケース１０にケースカバー２０が取り付けられる。本体ケース１０にケースカバー２０を取り付けると、ケースカバー２０の前板により本体ケース１０の開口は閉塞される。本体ケース１０にケースカバー２０を閉じると、詳細は後述するが暴風雨等の雨水であっても内部に浸入することを防止した防雨構造の機器ケース１となる。
【００１１】
機器ケース１の作用を説明する前に本体ケース１０の構成を説明する。本体ケース１０の構成を図７ないし図１５に示す。本発明にかかる機器ケース１における本体ケース１０の構成を示す正面図を図７に、本体ケース１０の側面図を図８に、本体ケース１０の下面図を図９に、本体ケース１０のＣ−Ｃ断面図で示す側面図を図１０に、本体ケース１０の構成を示す上面図を図１１に、本体ケース１０の構成を示す背面図を図１２に、本体ケース１０の構成をＤ−Ｄ断面図で示す側面図を図１３に、本体ケース１０の構成をＦ−Ｆ断面図で示す上面図を図１４に、本体ケース１０の構成をＥ−Ｅ断面図で示す側面図を図１５に示す。
これらの図に示すように本体ケース１０はダイカスト製とされており、上板１１と、左側板１２および右側板１３と、底板１４と、背板１５とを有しており、これらで囲まれ前面が開口されて形成された空間が回路基板を収納できる収納空間とされている。図７等に示すように背板１５の内面には回路基板をネジ止めするボス１５ａが横方向に３列形成されている。上の列には３つのボス１５ａが形成され、中央の列には２つのボス１５ａが形成され、下の列には８つのボス１５ａが形成されている。また、回路基板を位置決めするリブ１５ｂが左右に一対形成されている。
【００１２】
底板１４には４つの同軸端子１７が下面から突出するよう一体に形成されており、防水保護キャップが嵌合される円筒リブがそれぞれ同軸端子１７の周囲に、同軸端子１７とほぼ同心に形成されている。底板１４は左側板１２および右側板１３より前方へ突出して形成されており、突出した部位により底板防雨壁１４ａが形成されている。また、底板防雨壁１４ａは左側板１２および右側板１３の中途まで形成されている。この底板防雨壁１４ａの厚み方向のほぼ中央に溝部１４ｂが長手方向に形成されている。この溝部１４ｂを区切るように２つの大径部１４ｃが形成されており、大径部１４ｃの奥にはネジ孔部１４ｄが形成されている。ネジ孔部１４ｄは、ケースカバー２０の挿通孔に挿通されたネジ３１が螺着されるネジ孔とされている。また、底板防雨壁１４ａの上面には背板１５に向かって一段高くなる段部１４ｅが長手方向に形成されている。
【００１３】
背板１５の外面には１対の板状のポール当接部１５ｃが上下に横方向に形成されており、ポール当接部１５ｃには支持ポールを挟持するためのＶ字溝が形成されている。また、背板１５の外面には縦方向に２つの支持壁１５ｄが形成されており、２つの支持壁１５ｄの間に長手方向に支持壁１５ｅが形成されて、２つの支持壁１５ｄと支持壁１５ｅとはコ字状に配置されている。この支持壁１５ｅの下にネジ孔１５ｇが形成されている２つのネジ部１５ｆが横方向に並べて形成されている。支持壁１５ｅと２つのネジ部１５ｆとの間に支持ポールを挟持するためのＵボルトが配置され、２つのネジ部１５ｆにそれぞれＵボルト固定ネジを螺着することによりＵボルトが固定される。Ｕボルトの横方向への移動は２つの支持壁１５ｄにより規制される。さらに、背板１５の上部の左右に矩形の嵌合孔１５ｈがそれぞれ形成されている。嵌合孔１５は、ケースカバー２０を開いた際にケースカバー２０の係止板２１ｄがそれぞれ嵌入されて係止される孔とされており、ケースカバー２０が必要以上に開くことが規制されている。
【００１４】
嵌合孔１５の上部に長手方向に伸びる断面半円形の軸部１８が形成されており、軸部１８の両端部にはネジ孔１８ａがそれぞれ形成されている。このネジ孔１８ａには、ケースカバー２０を枢支するための回動ネジ３２がそれぞれ螺着される。また、背板１５から下方に挿通孔１６ａが形成されている取付部１６が突出されて形成されている。この取付部１６の挿通孔１６ａに挿通した取付ネジを壁面等に螺着することにより、機器ケース１を壁面に取り付けることができる。取付部１６の突出高さは、ポール当接部１５ｃの突出高さとほぼ同じとされている。さらに、左側板１２の外面には軸部１８から下端まで縦方向に伸びるリブ部１２ａが形成されており、右側板１３の外面にも軸部１８から下端まで縦方向に伸びるリブ部１３ａが形成されている。なお、上板１１と左側板１２および右側板１３は先端に向かって開口が次第に拡がるよう傾斜されて形成されている。
【００１５】
次に、ケースカバー２０の構成を説明する。ケースカバー２０の構成を図１６ないし図２３に示す。本発明にかかる機器ケース１におけるケースカバー２０の構成を示す正面図を図１６に、ケースカバー２０の下面図を図１７に、ケースカバー２０の側面図を図１８に、ケースカバー２０のＧ−Ｇ断面図で示す側面図を図１９に、ケースカバー２０の構成を示す上面図を図２０に、ケースカバー２０の構成を示す背面図を図２１に、ケースカバー２０の構成をＩ−Ｉ断面図で示す上面図を図２２に、ケースカバー２０の構成をＪ−Ｊ断面図で示す側面図を図２３に示す。
これらの図に示すようにケースカバー２０は、上板２１と、左側板２２および右側板２３と、前板２４とを有しており、下面と背面とは開口されている。
【００１６】
ケースカバー２０の上板２１の後端は、ほぼ直角に下方へ折曲された折曲部２１ａとされている。また、折曲部２１ａの左右に矩形状の係止板２１ｄが下方へ延伸するようそれぞれ形成されている。そして、上板２１の内面には長手方向に伸びる２本の第１仕切りリブ２１ｂと第２仕切りリブ２１ｃとが平行に形成されている。折曲部２１ａ側に近い第１仕切りリブ２１ｂの高さは前板２４側へ近い第２仕切りリブ２１ｃより高く形成されている。さらに、第２仕切りリブ２１ｃと前板２４との間に前板２４に向かって一段高さが低くなるよう傾斜された上段段部２１ｅが長手方向に形成されている。
【００１７】
ケースカバー２０の左側板２２の上部および右側板の上部から後方へ延伸されるよう軸受部２５がそれぞれ形成され、軸受部２５の先端部には円形の回動孔２５ａが形成されている。回動孔２５ａの径は回動ネジ３２の頭部の外径より若干大きい径とされている。このため、回動ネジ３２を回動孔２５ａに挿通して、本体ケース１０の軸部１８に形成したネジ孔１８ａに螺着した際に、ケースカバー２０の回動孔２５ａが回動ネジ３２の頭部に回動自在に係合する。これにより、ケースカバー２０が本体ケース１０に開閉自在に枢支されるようになる。また、ケースカバー２０の左側板２２の内面には長手方向である縦方向に伸びるリブ部２２ａが上端からカバー下部２４ａまで形成されており、リブ部２２ａと前板２４との間に上段段部２１ｅと端部において接続されている側段部２２ｂが長手方向に形成されている。さらに、ケースカバー２０の右側板２３の内面にも長手方向である縦方向に伸びるリブ部２３ａが上端からカバー下部２４ａまで形成されており、リブ部２３ａと前板２４との間に上段段部２１ｅと端部において接続されている側段部２３ｂが長手方向に形成されている。なお、側段部２２ｂおよび側段部２３ｂは、前板２４に向かって一段高さが低くなるよう傾斜されて形成されている段部であり、リブ部２２ａ、２３ａは下に行くほど幅が狭くなるテーパ状に形成されている。さらに、左側板２２および右側板２３の下部には一段外方へ拡がる段部が形成されて、左側板２２および右側板２３の下部にカバー下部２４ａが形成されている。
【００１８】
ケースカバー２０の前板２４は、本体ケース１０の開口を閉じることができる大きさとされ、前板２４の下部には一段外方へ拡がる段部２４ｃが形成されて、前板２４の下部にカバー下部２４ａが形成されている。このカバー下部２４ａの前面に２つの挿通孔２４ｂが横方向に並んで形成されている。この挿通孔２４ｂはネジ３１がそれぞれ挿通され、ネジ３１はケースカバー２０を閉じた際に本体ケース１０の大径部１４ｃの奥に形成されているネジ孔部１４ｄに螺着される。
【００１９】
図１ないし図６に戻り、上記説明した本体ケース１０に対してケースカバー２０を嵌合して、回動ネジ３２をケースカバー２０の軸受部２５の回動孔２５ａに挿通して、本体ケース１０の軸部１８のネジ孔１８ａに螺着する。これにより開閉自在となったケースカバー２０を閉じて、カバー下部２４ａの２つの挿通孔２４ｂにそれぞれ挿通したネジ３１を、本体ケース１０の底板１４に形成されているネジ孔部１４ｄに螺着する。このように組み立てられた機器ケース１において、図４に示すようにケースカバー２０の上板２１の内面に長手方向に形成されている第１仕切りリブ２１ｂと第２仕切りリブ２１cとの下端が、本体ケース１０の斜面とされた上板１１の外面に当接する。また、ケースカバー２０の上板２１の後端から下方へ折り曲げられるよう形成されている折曲部２１ａの下面が、本体ケース１０の背板１５の外面の上部に形成されている軸部１８の外面に当接すると共に、本体ケース１０の斜面とされた上板１１の先端外面が、ケースカバー２０の上板２１に形成されている斜面とされた上段段部２１ｅに当接する。さらに、図６に示すように本体ケース１０の左側板１２の外面に形成されているリブ部１２ａの前面が、ケースカバー２０の左側板２２の内面に形成されているリブ部２２ａの後面に当接すると共に、本体ケース１０の右側板１３の外面に形成されているリブ部１３ａの前面が、ケースカバー２０の右側板２３の内面に形成されているリブ部２３ａの後面に当接する。さらにまた、本体ケース１０の左側板１２の斜面とされた先端外面が、ケースカバー２０の斜面とされた側段部２２ｂに当接すると共に、本体ケース１０の右側板１３の斜面とされた先端外面が、ケースカバー２０の斜面とされた側段部２３ｂに当接する。さらにまた、図４に示すようにケースカバー２０の前板２４の下部と左側板２２および右側板２３の下部とに形成されているカバー下部２４ａの内面に形成されている段部２４ｃに、本体ケース１０の底板防雨壁１４ａの先端上面が当接する。
【００２０】
本発明にかかる機器ケース１は防雨構造を有しており、防雨構造について以下に説明する。まず、図４を参照しながら説明すると、折曲部２１ａの下面は、本体ケース１０の背板１５に形成されている軸部１８の外面に当接しており、機器ケース１の後面側から雨水が吹き付けても折曲部２１ａを超えにくくなる。風雨が強くて仮に雨水がこの折曲部２１ａを超えて浸入しても、第１仕切りリブ２１ｂの下端が本体ケース１０の上面に当接していることから、浸入した雨水は折曲部２１ａと第１仕切りリブ２１ｂとで形成される横に細長い第１バッファー室に貯留するようになって、内部へ浸入することは防止される。しかし、暴風雨等の強烈な風雨の場合は、第１バッファー室に貯留した雨水が第１仕切りリブ２１ｂを超えることが考えられる。この場合は、第２仕切りリブ２１ｃの下端が本体ケース１０の上面に当接していることから、浸入した雨水は第１仕切りリブ２１ｂと第２仕切りリブ２１ｃとで形成される横に細長い第２バッファー室に貯留するようになって、さらに内部へ浸入することは防止される。例え、第２バッファー室に貯留した雨水が第２仕切りリブ２１ｃを超えたとしても、本体ケース１０の上板１１の先端外面が、ケースカバー２０の上板２１に形成されている斜面とされた上段段部２１ｅに確実に当接することから、第２仕切りリブ２１ｃと上段段部２１ｅおよび上板の先端外面とで形成される横に細長い第３バッファー室に貯留するようになって、さらに内部へ浸入することは防止される。このように、バッファー室が３室縦列に並べられて配置されていることから、折曲部２１ａと軸部１８との間隙から雨水が浸入しても、本体ケース１０の開口内まで雨水が浸入することを防止することができる。
【００２１】
次に、図６を参照しながら説明する。機器ケース１の後面側から雨水が吹き付けた際に、本体ケース１０の左側板１２および右側板１３のリブ部１２ａ，１３ａの前面が、ケースカバー２０の左側板２２および右側板２３のリブ部２２ａ，２３ａの後面に当接していることから、内部へ雨水が浸入することが防止される。雨水が強烈に吹き付けてリブ部２２ａ，２３ａを超えて浸入しても、本体ケース１０の左側板１２および右側板１３の先端外面が、ケースカバー２０の斜面とされた側段部２２ｂ，２３ｂに確実に当接していることから、リブ部２２ａと側段部２２ｂと左側板１２の先端外面とで形成された縦に細長い第４バッファー室、および、リブ部２３ａと側段部２３ｂと右側板１３の先端外面とで形成された縦に細長い第５バッファー室に貯留するようになって、本体ケース１０の開口内まで雨水が浸入することを防止することができる。
【００２２】
次に、図４を参照しながら機器ケース１の下面側から雨水が吹き付けた場合を説明する。機器ケース１の下面側から雨水が吹き付けても、底板１４および左側板１２および右側板１３の下部に形成されている底板防雨壁１４ａの先端面が、ケースカバー２０の前板２４の下部と左側板２２および右側板２３の下部とに形成されているカバー下部２４ａの内面に当接していることから、内部へ雨水が浸入することが防止される。雨水が強烈に吹き付けて溝部１４ｂの下側の底板防雨壁１４ａを超えて浸入しても、ケースカバー２０の前板２４の下部と左側板２２および右側板２３の下部とに形成されているカバー下部２４ａの内面に形成されている段部２４ｃに底板防雨壁１４ａの先端上面が当接していることから、雨水は溝部１４ｂに貯留するようになって、本体ケース１０の開口内まで雨水が浸入することを防止することができる。
【００２３】
なお、雨水がネジ３１と前板２４の挿通孔２４ｂとの間隙から浸入した場合について、図２７を参照しながら説明する。図２７は、図２６の機器ケース１の正面図におけるＫ−Ｋ断面図で示す側面図である。図２７には、ネジ３１がケースカバー２０に形成された挿通孔２４ｂに挿通されて、本体ケースの底板１４に形成されたネジ孔部１４ｄに螺着された状態が示されている。図示するように、ネジ孔部１４ｄの前側には大径部１４ｃが形成されており、螺着されたネジ３１の周囲に空間が形成されている。すると、ネジ３１と前板２４の挿通孔との間隙から雨水が浸入しても、大径部１４ｃにより形成された空間に貯留するようになって、さらに内部へ浸入することが防止される。なお、ネジ３１の中途にはＯリング３１ａが装着されて、ネジ３１をネジ孔部１４ｄから取り外しても挿通孔２４ｂから脱落することが防止されている。
【００２４】
ここで、本発明にかかる機器ケース１を支持ポールに取り付ける構成を図２４ないし図２６および図２８に示す。図２４は本発明にかかる機器ケース１を支持ポール４０に取り付けた構成を示す平面図であり、図２５は本発明にかかる機器ケース１において、Ｕボルト４１を固定する構成を示す背面図であり、図２６は本発明にかかる機器ケース１を取り付ける構成を示す正面図であり、図２８は本発明にかかる機器ケース１において、本体ケース１０に対してケースカバー２０を開いた状態を示す側面図である。
図５に示すように、背板１５の外面に形成された２つの支持壁１５ｄと支持壁１５ｅとはコ字状に配置されており、この支持壁１５ｅの下に２つのネジ部１５ｆが横方向に形成されている。Ｕボルト４１は、支持壁１５ｅと２つのネジ部１５ｆとの間に中央部が嵌挿され、２つのネジ部１５ｆに形成されているネジ孔１５ｇにそれぞれＵボルト固定ネジ４５を螺着することにより背板１５の外面に固定されている。この場合、Ｕボルト固定ネジ４５の頭部によりＵボルト４１が抜け出ないようになり、Ｕボルト４１の横方向への移動は２つの支持壁１５ｄにより規制される。なお、Ｕボルト固定ネジ４５はトラスネジ等の頭部の下面が平らなネジとされている。
【００２５】
Ｕボルト４１の中央部から折曲されて平行にネジ部が形成されており、ネジ部は断面コ字状に折曲された金属製の挟持金具４２に挿通されている。金属板をコ字状に折曲して形成された挟持金具４２の開口面側の縁部には、ほぼ中央に支持ポール４０を挟持するための階段状のＶ字溝が形成され、中央部の両側にはＵボルト４１が挿通される長孔と切欠部とがそれぞれ形成されている。長孔に機器ケース１の背板１５に取り付けたＵボルト４１の一方のネジ部を挿通し、２つのネジ部にそれぞれ蝶ネジ４３を螺合しておく。この状態において、Ｕボルト４１のネジ部の間に支持ポール４０を挿入して支持ポール４０の側面に背板１５に形成されている２つのポール当接部１５ｃのＶ字溝を当接させる。次いで、挟持金具４２の切欠部にＵボルト４１の他方のネジ部を挿通して、挟持金具４２のＶ字溝を支持ポール４０の側面に当接させて蝶ネジ４３を締着する。これにより、図２４に示すように支持ポール４０をポール当接部１５ｃと挟持金具４２とのＶ字溝で挟持した状態となり、機器ケース１を支持ポール４０に取り付けることができる。この支持ポール４０の上部にはアンテナを取り付けることができ、機器ケース１にはアンテナの受信信号を分配する分配器や、混合する混合器、あるいは、増幅する増幅器の回路基板を収納することができる。また、Ｕボルト４１の先端には蝶ネジ４３の脱落を防止するためのゴム製等のキャップが取り付けられている。なお、図２５では支持ポール４０、挟持金具４２および蝶ネジ４３を省略して示している。
【００２６】
図２８には本体ケース１０に対してケースカバー２０を開いた際に、開ける角度θ１が示されている。本体ケース１０に対してケースカバー２０を開いていくと、ケースカバー２０の折曲部２１ａに形成されている２つの係止板２１ｄが回動していき、本体ケースの背板１５に形成されている嵌合孔１５ｈ内に嵌挿されて係止される。係止されると、それ以上の回動が規制され、ケースカバー２０の本体ケース１０に対する最大開き角度θ１は例えば約９２°とされている。また、背板１５に取り付けたＵボルト４１を機器ケース１に対して回動することができるが、例えば上方向に約９０°回動することができると共に下方向にも約９０°回動することができる。背板１５に取り付けたＵボルト４１を回動することにより、梱包した時の体積を縮小することができる。
また、機器ケース１は壁面にも取り付けることができ、機器ケース１を壁部４７に取り付けた構成を図２９に示す。図２９に示すように、機器ケース１の下部両側から突出して形成されている取付部１６の挿通孔１６ａにそれぞれ取付ネジ４６を挿通して、取付ネジ４６を壁部４７にねじ込む。これにより、機器ケース１を壁面にも取り付けることができるようになる。この場合、取付部１６の突出高さが、ポール当接部１５ｃの突出高さとほぼ同じとされていることから、ポール当接部１５ｃの先端面は壁部４７に当接するようになる。
【産業上の利用可能性】
【００２７】
以上説明した本発明にかかる機器ケースは、金属製の本体ケースと金属製のケースカバーからなることから不要輻射を抑制することのできるシールドケースとなっている。また、機器ケースを支持ポールや壁面に取り付けた状態において、ケースカバーを本体ケースに対して開くことができることから、機器ケースを取り付けたまま内部に収納した回路基板の機能の調整を行うことができる。
また、本体ケースの上板と左側板および右側板の先端外面が、傾斜されて形成されている上段段部および側段部に当接することから、確実に当接するようになり安定した防雨性能を得ることができる。
【符号の説明】
【００２８】
１  機器ケース、１０  本体ケース、１１  上板、１２  左側板、１２ａ  リブ部、１３  右側板、１３ａ  リブ部、１４  底板、１４ａ  底板防雨壁、１４ｂ  溝部、１４ｃ  大径部、１４ｄ  ネジ孔部、１４ｅ  段部、１５  嵌合孔、１５  背板、１５ｃ  ポール当接部、１５ａ  ボス、１５ｂ  リブ、１５ｃ  ポール当接部、１５ｄ  支持壁、１５ｅ  支持壁、１５ｆ  ネジ部、１５ｇ  ネジ孔、１５ｈ  嵌合孔、１６  取付部、１６ａ  挿通孔、１７  同軸端子、１８  軸部、１８ａ  ネジ孔、２０  ケースカバー、２１  上板、２１ｃ  リブ、２１ａ  折曲部、２１ｂ  第１仕切りリブ、２１ｃ  第２仕切りリブ、２１ｄ  係止板、２１ｅ  上段段部、２２  左側板、２２ａ  リブ部、２２ｂ  側段部、２３  右側板、２３ａ  リブ部、２３ｂ  側段部、２４  前板、２４ａ  カバー下部、２４ｂ  挿通孔、２４ｃ  段部、２５  軸受部、２５ａ  回動孔、３１  ネジ、３１ａ  リング、３２  回動ネジ、４０  支持ポール、４１  Ｕボルト、４２  挟持金具、４３  蝶ネジ、４５  ボルト固定ネジ、４６  取付ネジ、４７  壁部
【図１】
0005870359.tif 000002
【図２】
0005870359.tif 000003
【図３】
0005870359.tif 000004
【図４】
0005870359.tif 000005
【図５】
0005870359.tif 000006
【図６】
0005870359.tif 000007
【図７】
0005870359.tif 000008
【図８】
0005870359.tif 000009
【図９】
0005870359.tif 000010
【図１０】
0005870359.tif 000011
【図１１】
0005870359.tif 000012
【図１２】
0005870359.tif 000013
【図１３】
0005870359.tif 000014
【図１４】
0005870359.tif 000015
【図１５】
0005870359.tif 000016
【図１６】
0005870359.tif 000017
【図１７】
0005870359.tif 000018
【図１８】
0005870359.tif 000019
【図１９】
0005870359.tif 000020
【図２０】
0005870359.tif 000021
【図２１】
0005870359.tif 000022
【図２２】
0005870359.tif 000023
【図２３】
0005870359.tif 000024
【図２４】
0005870359.tif 000025
【図２５】
0005870359.tif 000026
【図２６】
0005870359.tif 000027
【図２７】
0005870359.tif 000028
【図２８】
0005870359.tif 000029
【図２９】
0005870359.tif 000030